(57)【特許請求の範囲】
【請求項１】
少なくとも二つ以上の電子メールの通信経路が利用可能であり、同一の送信先へ宛てた電子メールであっても前記通信経路によって異なる宛先アドレスを用いる電子メールシステムにおける宛先アドレスの入力システムであって、
前記通信経路毎の宛先アドレスを、送信先毎に対応させてアドレス帳として記憶部に予め記憶しておいて、
送信用の電子メール作成時、宛先アドレス入力欄に宛先アドレスを入力し、電子メール作成時、又は電子メール送信時に、通信経路を通信経路選択部において選択した際、
前記宛先アドレス入力欄に入力された宛先アドレスが、前記通信経路選択部で選択された通信経路において利用不可能な場合、
前記宛先アドレス入力欄に入力された宛先アドレスと同一送信先であり、且つ前記通信経路選択部で選択された通信経路において利用可能な宛先アドレスを前記アドレス帳より検索し、
検索された宛先アドレスを前記宛先アドレス入力欄に入力された宛先アドレスと置換する機能を備えたことを特徴とする宛先アドレスの入力システム。
【請求項２】
複数の通信経路と、該通信経路に応じた電子メールの宛先アドレスをそれぞれ対応させて記憶部に予め記憶させる手段と、
前記記憶部に記憶された電子メールの宛先アドレスを、宛先アドレス入力欄に任意に読み込む手段と、
電子メールの通信経路を選択する手段と、
送信用の電子メール作成時、前記読み込み手段により読み込まれた宛先アドレスが、前記選択手段により選択された通信経路において利用可否を判断する手段と、
電子メールを送信する手段と、
前記読み込まれた宛先アドレスが、前記利用可否を判断する手段において利用不可能であると判断された時に、前記読み込まれた宛先アドレスと同一送信先であり、且つ前記電子メールの通信経路を選択する手段で選択された通信経路に適合する宛先アドレスを前記記憶部より検索する手段とを備え、
前記送信用の電子メール作成時に、前記読み込まれた宛先アドレスが、前記利用可否を判断する手段において利用不可能であると判断された時に、前記検索手段により検索した宛先アドレスに置換して送信することを特徴とする通信端末装置。
【発明の詳細な説明】
【０００１】
【発明の属する技術分野】
本発明は、電子メールの送受信機能を備えた通信端末装置に関する。
【０００２】
【従来の技術】
近年、電子メール機能を搭載している通信端末が製造販売されている。
通信経路の多様化により、個人が複数の電子メールアドレスを持つことが多くなっている。
この場合、送信先電子メールアドレスの入力方法としては、（ａ）予め記録されたアドレス帳から検索、選択する方法、および（ｂ）受信した電子メールに返信する際には、返信したい電子メールに記録された送信元電子メールアドレスを、返信メール作成時に、宛先アドレスとして設定する方法が行われている。
【０００３】
【発明が解決しようとする課題】
しかしながら、通信経路によって利用可能な電子メールアドレスが異なる場合には、通信経路を変更した場合は、通信経路に適した宛先アドレスを改めて選択する必要がある。利用者は、煩雑な宛先入力システムにより、適切な宛先アドレスを改めて入力しなければならないため、利用者にとっては、かなりの不便、負担となり、使い勝手も悪い。
したがって、本発明は、上記問題点に鑑みてなされたものであって、その目的は、電子メール機能を備えた通信端末において、電子メール送信時におけるメールアドレスの入力操作性を向上させるシステム及びそれを採用した装置を提供することにある。
【０００４】
【課題を解決するための手段】
前記目的を達成する本発明は、異なる通信経路、それぞれに適した同一送信先への宛先アドレスを対応させて記憶部に予め登録しておき、送信用の電子メール作成時に利用者が設定、もしくは自動的に設定された宛先アドレスが、送信時に選択した通信経路に利用不可能な場合、前記設定された宛先アドレスと同一の送信先であって、且つ、前記選択した通信経路に利用可能な宛先アドレスを、前記記憶部から検索し、検索された宛先アドレスを前記設定された宛先アドレスと置換するようにしたものである。
【０００５】
【発明の実施の形態】
本発明によるメールアドレスの入力システムの実施形態を、図面に基づいて、以下に説明する。
図１は、本発明のメールアドレスの入力システムを適用した電子メールシステムの構成を示すブロック図である。
本発明の電子メールシステム１００は、複数の宛先アドレスを送信先毎に対応させて記憶する記憶部１０１と、宛先アドレスを記憶部１０１に記憶させる機能を有する登録装置１０２と、記憶部１０１から必要な宛先アドレスを検索し呼び出すための検索装置１０３と、利用者が、宛先アドレスや電子メール本文等の入力及び各操作を行うための外部入力装置１０４と、利用者の入力や、システムによる出力を表示するための表示部１０５と、各装置の調整・指示を行う制御装置１０６と、送信路や送信可否の判断を行う送信判断装置１０７と、送信路に電子メールを送出する一つ以上の送信装置１０８からなる。
また、送信装置１０８は、通信経路１０９を介して、送信先１１０と通信を行うことができる。
【０００６】
送信装置１０８は、一つの送信装置によって複数の通信経路１０９を切り替えることができるようにしてもよい。
なお、本実施例の宛先アドレスを記憶部１０１に記憶させる登緑装置１０２と、記憶部１０１から必要な宛先アドレスを検索し呼び出すための検索装置１０３と、送信路や送信可否の判断を行う送信判断装置１０７とは、通信端末装置を構成するコンピュータ上で実行されるプログラムにより、その機能を実現するようにしてもよい。
この場合、該プログラムを記憶しておいて、コンピュータに該プログラムを読み出させ、起動実行させることで、上記機能を実施することができる。
【０００７】
図２は、本発明の電子メールシステムの一実施例に係る通信端末、特に、電子メール送受信機能を持つ携帯電話機の構成を示すブロック図である。
本実施例の通信端末２００では、予め利用者がキーボード２０４を通じて、アドレス帳を入力する。
【０００８】
図３は、そのアドレス帳の一例を示す図である。
入力されたアドレス帳は、名前と一つ以上の宛先アドレスがフィールドとして定義され、各名前毎に一つのレコードを形成するリレーショナルデータベースの形式で記憶部２０１に保存される。
本実施例の電子メールの通信経路は、センタ送信２０９１と直接送信２０９２の二つがある。
センタ送信２０９１で送信を行う際は、図３に示すアドレス帳における宛先１のようなメールアドレスを使用し、メールセンタ２１１を介して送信先端末２１０へ届けられる。
又、直接送信では、宛先２のような送信先端末２１０の電話番号が利用でき、メールセンタ２１１を介さず、直接、送信先端末２１０との通信により送信される。
そして、送信者アドレスは、通信経路によって、センタ送信では、宛先１のようなメールアドレスが設定され、直接送信では、宛先２のような電話番号が設定される。
【０００９】
図４は、図２に係る実施例の電子メール作成／送信処理手順を示すフローチャート図である。
本図のフローチャート図に沿って、図２を参照しながら、本実施例の動作を説明する。
まず、利用者は、キーボード２０４により、電子メールの作成を開始する（ステップＳ４００）。
表示部２０５に宛先入力欄が表示され、利用者に宛先の入力を促す（ステップＳ４０１）。
利用者が、外部入力装置２０４を利用して、宛先入力を選択したら、宛先入力欄への宛先入力が可能となり、利用者は、キーボード２０４を用いて、電子メールを送信したい相手のアドレスを入力する（ステップＳ４０２）。
この入力には、予め記憶されたアドレス帳から相手アドレスを選択し、入力することも可能である。
【００１０】
次に、同様の手順にて、本文を入力する（ステップＳ４０３、４０４）。
これを、内容に満足し、確定する（ステップＳ４０５）まで、以上のステップを繰り返す。
内容が確定したら、通信経路の選択を行う（ステップＳ４０６）。この例では、通信経路は、センタ送信２０９１と直接送信２０９２の二つが選べるため、利用者はどちらかを選択する。
次いで、通信判断装置２０７は、ステップＳ４０２で入力した宛先アドレスが、ステップＳ４０６で選択した通信経路において利用可能か否かを判断し（ステップＳ４０７、４０９）、利用可能ならば、そのまま送信装置２０８を用いて送信する（ステップＳ４１１）。
【００１１】
利用不可能ならば、送信判断装置２０７は、制御装置２０６に対し、「利用不可能」の通知を行い、制御装置２０６は「利用不可能」の通知を受けて、ステップＳ４０２において入力した宛先アドレスと同じ送信先であって、ステップＳ４０６で選択した通信経路で利用可能な他の宛先アドレスを、記憶部２０１より検索するように検索装置２０３に対して通知する。
検索装置２０３は、検索された宛先アドレスを制御装置２０６に返し、制御装置２０６は、ステップＳ４０２で入力された宛先アドレスを、検索装置２０３によって検索された宛先アドレスと置換したうえで、送信装置２０８によって送信する（ステップＳ４１１）。
【００１２】
図５は、図２に係る実施例の電子メール返信処理手順を示すフローチャート図である。
受信した電子メールに対して返信する際は、通常は、受信した電子メールの送信者が設定される（ステップＳ５０１）。
宛先アドレスを削除したり、宛先アドレスを追加したりする場合は、宛先変更を行う（ステップＳ５０２、５０３）。
次いで、前記したと同様に、本文を入力する（ステップＳ５０４、５０５）。
以上の処理を、入力した内容に満足し、確定するまで繰り返す（ステップＳ５０６）。
内容が確定したら、続いて、ステップＳ５０７〜Ｓ５１２（前述の図４のステップＳ４０６〜Ｓ４１１に相当するので説明は略する。）の動作手順を実施する。
【００１３】
以下に、図３に示すアドレス帳にある山田花子から山田太郎へ、センタ送信２０９１で送られた電子メールに対して、山田太郎が、直接送信２０９２で返信する例について説明する。
山田太郎が、山田花子から受け取った電子メールは、通信経路はセンタ送信であるため、送信者アドレスが、「hanako@phonemail.com」であり、宛先アドレスは、「yamada@phonemail.com」となっている。
山田太郎が、電子メールの返信を開始する（ステップＳ５００）。
山田太郎が、送信しようとする電子メールの宛先アドレスには、送信者アドレスである山田花子のアドレス「hanako@phonemail.com」が設定される（ステップＳ５０１）。
山田太郎が、宛先を変更しない（ステップＳ５０２）場合、本文を入力する（ステップＳ５０４、５０５）。
内容を確定し（ステップＳ５０６）、通信経路を直接送信に設定する（ステップＳ５０７）。
【００１４】
ここで、ステップＳ５０１において、宛先アドレスとして山田花子のアドレス「hanako@phonemail.com」が設定されているため、宛先アドレスが電話番号ではないと判断される（ステップＳ５１０）。
従って、メールアドレス「hanako@phonemail.com」と同一送信先である電話番号として、山田花子の電話番号「07051234568」が検索され、宛先アドレスとして設定される（ステップＳ５１１）。
これにより、直接送信２０９２を介して送信される電子メールの宛先アドレスとして利用可能な宛先アドレス「07051234568」が設定されたため、直接送信２０９２を介して電子メールを送信することができる。
【００１５】
【発明の効果】
以上説明したように、本発明によれは、通信経路毎に異なる宛先アドレスを利用しなけれはならない電子メールシステムにおいて、送信先毎に対応させて通信経路毎の宛先アドレスを予め記憶させておけば、電子メールに宛先アドレスを記入した後で、通信経路を変更した場合でも、利用者が煩雑な操作を行うことなく、適切な宛先アドレスに置き換え送信することができるようになり、電子メール送信時の作業負担を軽減し、操作性を同上することができる。
【図面の簡単な説明】
【図１】本発明のメールアドレスの入力システムを適用した電子メールシステムの構成を示すブロック図である。
【図２】図１に示す電子メールシステムの一実施例に係る通信端末、特に、電子メール送受信機能を持つ携帯電話機の構成を示すブロック図である。
【図３】図２に係る実施例における宛先アドレスの記憶例を示す図である。
【図４】図２に係る実施例の電子メール作成／送信処理手順を示すフローチャート図である。
【図５】図２に係る実施例の電子メール返信処理手順を示すフローチャート図である。
【符号の説明】
１００…電子メールシステム、１０１、２０１…記憶部、１０２、２０２…登録装置、１０３、２０３…検索装置、１０４、２０４…外部入力装置、１０５、２０５…表示部、１０６、２０６…制御装置、１０７、２０７…送信判断装置、１０８、２０８…送信装置、１０９…通信経路、１１０…送信先、２００…通信端末、２０４…キーボード、２０９１…センタ送信、２０９２…直接送信、２１０…送信先端末、２１１…メールセンタ。
【図１】
0003638011.tif 000002
【図２】
0003638011.tif 000003
【図３】
0003638011.tif 000004
【図４】
0003638011.tif 000005
【図５】
0003638011.tif 000006